(57)【要約】【課題】  冷房装置を備えた遊戯装置において、ドレン水の廃棄作業の手間を省く。【解決手段】  冷房システム２００は、遊戯装置１の天板１００の上面に設置される。冷房システム２００を構成する水蒸発装置２２０は、冷房装置２１０に設けられたドレン水排出口２１２とドレン管２６０により連接され、ドレン水排出口２１２から排出されるドレン水を貯留する貯水部２２２と、貯水部２２２に貯留されたドレン水を吸収して蒸散させる蒸散部２２４とを有する。蒸散部２２４は、高吸水性樹脂等により長方形状に形成された複数の蒸散板２２４ａで構成される。各蒸散板２２４ａは、その下端側が貯水部２２２の底面に接触するように配置され、貯水部２２２に貯留されたドレン水を吸収させて蒸発させる。【選択図】  図７
2005080998.tif 000002
【特許請求の範囲】
【請求項１】
遊戯空間内の景品を所定動作によって払い出す遊戯装置に用いられ、前記遊戯空間内を冷房する冷房システムにおいて、
冷房装置と、
前記冷房装置のドレン水排出口にドレン管によって連結され、間隔をおいて積層された蒸散板を有する水蒸発装置と、
を備え、前記水蒸発装置は、前記冷房装置から排気される排熱風の下流側に配設されていることを特徴とする冷房システム。
【請求項２】
前記水蒸発装置は、前記蒸散板の板面が前記排熱風の風向に沿った方向に配設されたことを特徴とする請求項１に記載の冷房システム。
【請求項３】
前記冷房装置の排熱風を前記水蒸発装置に導くダクト部を備えたことを特徴とする請求項１又は２に記載の冷房システム。
【請求項４】
前記水蒸発装置は、ドレン水を貯える貯水部と、前記貯水部の水位が満水位に達したか否かを検知する満水位検知器とを有し、
前記冷房装置は、前記満水位検出器により満水位が検知された場合に、冷房動作を停止することを特徴とする請求項１〜３の何れか一項に記載の冷房システム。
【請求項５】
前記水蒸発装置は、ドレン水を貯える貯水部と、前記貯水部の水位が所定水位に達したか否かを検知する水位検知器とを有し、
前記水位検知器により水位が前記所定水位に達したと検知された場合に始動して、前記蒸散板間を流通する風を発生させるファンを更に備えたことを特徴とする請求項１〜３の何れか一項に記載の冷房システム。
【請求項６】
前記水蒸発装置は、前記貯水部の水位が所定水位に達したか否かを検知する第２の水位検知器を有し、
前記第２の水位検知器により水位が前記所定水位に達したと検知された場合に始動して、前記蒸散板間を流通する風を発生させるファンを更に備えたことを特徴とする請求項４に記載の冷房システム。
【請求項７】
前記冷房装置から送出される冷気を複数の冷気送出口に分配して各冷気送出口から送出する冷気分配部であって、前記冷気送出口のうち少なくとも一の冷気送出口に流量調節弁が配設された冷気分配部を備えることを特徴とする請求項１〜６の何れか一項に記載の冷房システム。
【請求項８】
遊戯空間内の景品を所定動作によって払い出す遊戯装置であって、
請求項１〜７の何れか一項に記載の冷房システムが装置天井部に配置され、冷気吹出し口が前記遊戯空間上方に配設されたことを特徴とする遊戯装置。
【請求項９】
前記遊戯空間上方で前記景品を保持し、前記所定動作によって保持していた景品を払い出す景品保持部を備えることを特徴とする請求項８に記載の遊戯装置。
【発明の詳細な説明】
【技術分野】
【０００１】
本発明は、遊戯装置及び当該遊戯装置に具備される冷房システムに関する。
【背景技術】
【０００２】
従来から、クレーンゲーム機やプッシャーゲーム機といった、景品取得ゲーム機と呼ばれる遊戯装置が知られている。また、この種の遊戯装置において、景品を冷凍又は冷蔵するための冷房装置を備えた景品取得ゲーム機が知られている。この景品取得ゲーム機によれば、温度管理が必要な冷菓子等を景品として取り扱うことができる（特許文献１参照）。
【特許文献１】特開２００１−１９０８３１号公報
【発明の開示】
【発明が解決しようとする課題】
【０００３】
しかしながら、上記したような冷房装置を備えた遊戯装置においては、冷房装置から排出されるドレン水をタンク等に貯留しておき、タンク内のドレン水を定期的に廃棄処理するものが一般的であり、ドレン水の廃棄作業を行う必要があった。本発明は、上記問題点を解決するためになされたものであり、ドレン水の廃棄作業の手間を省くことを目的とする。
【課題を解決するための手段】
【０００４】
以上の課題を解決するための第１の発明は、
遊戯空間内の景品を所定動作によって払い出す遊戯装置に用いられ、前記遊戯空間内を冷房する冷房システムにおいて、
冷房装置（例えば、図７に示す冷房装置２１０）と、
前記冷房装置のドレン水排出口にドレン管によって連結され、間隔をおいて積層された蒸散板を有する水蒸発装置（例えば、図７に示す水蒸発装置２２０）と、
を備え、前記水蒸発装置は、前記冷房装置から排気される排熱風の下流側に配設されていることを特徴としている。
【０００５】
この第１の発明によれば、冷房装置のドレン水排出口から排出されたドレン水をドレン管により蒸散板を有する水蒸発装置に送り、蒸散板にドレン水を吸収させて蒸散させることにより、ドレン水を処理することができる。また、この際、冷房装置の排熱風により、蒸散板に吸収されたドレン水の蒸散速度を高めることができる。
【０００６】
第２の発明は、第１の発明の冷房システムにおいて、
前記水蒸発装置が、前記蒸散板の板面が前記排熱風の風向に沿った方向に配設された構成である。
【０００７】
この第２の発明によれば、蒸散板の板面が排熱風の風向に沿った方向に配設されるので、積層された蒸散板の間隔が冷房装置の排熱風の通風路となり、蒸散板に吸収されたドレン水を効率よく蒸散させることができる。
【０００８】
第３の発明は、第１又は第２の発明の冷房システムにおいて、
前記冷房装置の排熱風を前記水蒸発装置に導くダクト部を備えたものである。
【０００９】
この第３の発明によれば、ダクト部により冷房装置の排熱風を水蒸散装置に導くことができ、蒸散板に吸収されたドレン水をより効率よく蒸散させることができる。
【００１０】
第４の発明は、第１〜第３の何れかの発明の冷房システムにおいて、
前記水蒸発装置は、ドレン水を貯える貯水部と、前記貯水部の水位が満水位に達したか否かを検知する満水位検知器とを有し、
前記冷房装置は、前記満水位検出器により満水位が検知された場合に、冷房動作を停止するものである。
【００１１】
この第４の発明によれば、満水位検知器によって貯水部内のドレン水の満水位が検知された場合に、冷房装置の電源を自動的に停止させることができる。
【００１２】
第５の発明は、第１〜第３の何れかの発明の冷房システムにおいて、
前記水蒸発装置は、ドレン水を貯える貯水部と、前記貯水部の水位が所定水位に達したか否かを検知する水位検知器とを有し、
前記水位検知器により水位が前記所定水位に達したと検知された場合に始動して、前記蒸散板間を流通する風を発生させるファンを更に備えたものである。
【００１３】
この第５の発明によれば、水位検知器により貯水部内のドレン水が所定水位に達したか否かを検知し、達したと検知された場合に、蒸散板間を流通する風を発生させるファンを始動させることができる。これにより、蒸散板に吸収されたドレン水の蒸散速度を高めることができる。
【００１４】
第６の発明は、第４の発明の冷房システムにおいて、
前記水蒸発装置は、前記貯水部の水位が所定水位に達したか否かを検知する第２の水位検知器を有し、
前記第２の水位検知器により水位が前記所定水位に達したと検知された場合に始動して、前記蒸散板間を流通する風を発生させるファンを更に備えたものである。
【００１５】
この第６の発明によれば、水位検知器により貯水部内のドレン水が所定水位に達したと検知された場合に、蒸散板間を流通する風を発生させるファンを始動させることができる。さらに、満水位検知器により貯水部内のドレン水の満水位が検知された場合に、冷房装置の電源を自動的に停止させることができる。
【００１６】
第７の発明は、第１〜第６の何れかの発明の冷房システムにおいて、
前記冷房装置から送出される冷気を複数の冷気送出口に分配して各冷気送出口から送出する冷気分配部であって、前記冷気送出口のうち少なくとも一の冷気送出口に流量調節弁が配設された冷気分配部を備えたものである。
【００１７】
この第７の発明によれば、冷房装置から送出される冷気を複数の冷気送出口に分配して各冷気送出口から送出することができる。さらに、冷気送出口のうち少なくとも一の冷気送出口に配設された流量調節弁により、当該冷気送出口から送出される冷気の流量を調節することができる。
【００１８】
第８の発明は、
遊戯空間内の景品を所定動作によって払い出す遊戯装置であって、
請求項１〜７の何れか一項に記載の冷房システムが装置天井部に配置され、冷気吹出し口が前記遊戯空間上方に配設されたことを特徴としている。
【００１９】
この第８の発明によれば、遊戯空間内の景品を所定動作によって払い出す遊戯装置の天井部に配置された第１〜第７の何れかの発明と同様の効果を奏する冷房システムにより、当該冷房システムが排気する冷気を遊戯空間上方から流通させることができる。また、冷気の比重は重いため、遊戯空間内を効率的に冷却することができる。
【００２０】
第１０の発明は、第９の発明の遊戯装置において、
前記遊戯空間上方で前記景品を保持し、前記所定動作によって保持していた景品を払い出す景品保持部を備えたものである。
【００２１】
この第１０の発明によれば、遊戯空間上方で景品を保持し、所定動作によって保持していた景品を払い出す景品保持部を備えた遊戯装置であって、第９の発明と同様の効果を奏する遊戯装置を実現可能である。
【発明の効果】
【００２２】
本発明によれば、冷房装置のドレン水排出口から排出されたドレン水をドレン管により蒸散板を有する水蒸発装置に送り、蒸散板にドレン水を吸収させて蒸散させることにより、ドレン水を処理することができる。また、この際、冷房装置の排熱風により、蒸散板に吸収されたドレン水の蒸散速度を高めることができる。
【発明を実施するための最良の形態】
【００２３】
以下、図を参照して、本発明を適用した実施形態について説明する。図１は本発明を適用した遊戯装置１の外観図であり、図２は天板を取り除いた状態の遊戯装置１の平面図であり、図３は遊戯装置１の１つのステーションに係る要部正面図であり、図４は遊戯装置１の１つのステーションに係る要部縦断面図であり、図５は遊戯装置１の平面図である。この遊戯装置１は、いわゆるプッシャー型ゲーム機と呼ばれる遊戯装置である。
【００２４】
遊戯装置１は、平面視略六角形の形状を成しており、略六角形の各辺でプレーヤが遊戯するためのステーションが６つ配設され、同時に６人のプレーヤが遊べるように構成されている。遊戯装置１は、プッシャーテーブル部１０と、掬い上げ装置２０と、ジャックポット（以下、「ＪＰ」という。）用の景品払出装置（以下、「ＪＰ用払出装置」という。）３０と、景品補充装置４０と、制御装置５０とを主に備えて構成され、制御装置５０は、遊戯装置１の動作を統括的に制御する。そして、遊戯装置１には、６つのステーションを囲う透明のカバー部材９０が設けられ、このカバー部材９０と、遊戯装置１を上方から覆う天板１００とにより遊戯空間ＳＰを外部から仕切り、遊戯空間ＳＰを保護している。以下、遊戯装置１の１つのステーションに着目して、遊戯装置１の構成及び動作を簡単に説明する。説明上、上下方向は図１，３，４に向かって上下の方向とし、同図の上を上、下を下として説明する。また奥行き方向は、図３に向かって前後（手前／奥）の方向とし、スライドテーブル１４が景品獲得口６０に近づく向きを前又は手前、遠ざかる向きを後又は奥として説明する。
【００２５】
ターンテーブル７０は、景品Ｇが多数積載されたリング状の受け皿であり、遊戯装置１内を、一定方向に軸回転するように構成されている。
【００２６】
プッシャーテーブル部１０は、固定テーブル１２と、固定テーブル１２上を前後方向に摺動するスライドテーブル１４と、固定テーブル１２の前面端部に設置されたスイッチ１６とを備えて構成される。スライドテーブル１４が前後方向にスライドするため、スライドテーブル１４の前面によって固定テーブル１２上に載置された景品Ｇが移動する。固定テーブル１２上に載置された景品Ｇの密度が高いと、景品Ｇが玉突き状態となって、固定テーブル１２の前面端部から景品Ｇが落下し、景品獲得口６０から景品Ｇが払い出される。一方、固定テーブル１２上に載置された景品Ｇの密度が低いと、固定テーブル１２上の隙間を埋めるように景品Ｇが移動することとなる。
【００２７】
スイッチ１６は、景品Ｇの重力によって可動する棒状の検知バーを備えており、固定テーブル１２の前面端部から落下する景品Ｇが接触するように検知バーが設置されている。検知バーの可動によって景品Ｇの払い出しを検知すると、スイッチ１６は、検知信号を制御装置５０に出力する。
【００２８】
掬い上げ装置２０は、２本のアーム２２，２３と、ショベル２４と、ＪＰルーレット２６と、ＪＰメーター２７とを備えて構成される。２本のアーム２２，２３とショベル２４とにより所定のリンク機構が構成され、ターンテーブル７０上に載置された景品Ｇをショベル２４が掬い上げ、掬い上げた景品Ｇをプッシャーテーブル部１０に落下させるように構成されている。ＪＰルーレット２６とＪＰメーター２７とは、ショベル２４を軸支するアーム２２の前面に設置されている。遊戯装置１の操作部８０からプレーヤによる操作入力がなされると、掬い上げ装置２０による掬い上げ動作が開始される。尚、プレーヤによる操作入力は、原則、この掬い上げ装置２０に対する掬い上げ動作指示のみであり、プッシャーテーブル部１０に落下させる動作は自動的に行われる。
【００２９】
ＪＰルーレット２６は、スイッチ１６により景品Ｇの払い出しが検知された場合に、制御装置５０からの制御によって起動する電子式のルーレットであり、"１"，"２"，"３"の何れかの目（以下、「ポイント」という。）を指示する。ＪＰメーター２７は、ＪＰルーレット２６によって指示されたポイントの数を累積的に表示する表示器であり、現在のポイント数を棒グラフ状に表示する。遊戯装置１は、このポイント数に応じて、「小当たり」、「中当たり」、「大当たり（ＪＰ）」の３種類の特典動作を起動するように構成されている。
【００３０】
ＪＰ用払出装置３０は、予め景品Ｇが収納されたバスケット３２と、バスケット３２を支持する支持アーム３４とを備えて構成される。バスケット３２は、支持アーム３４の一端に軸支されており、支持アーム３４の他端を軸中心として支持アーム３４が手前側に回転する（プレーヤに向かって倒れてくる）ことにより、バスケット３２の上面開口部から景品獲得口６０へ景品Ｇが落下するよう構成されている。この支持アーム３４の回転動作は、ポイント数が「大当たり（ＪＰ）」となった時に起動される。
【００３１】
景品補充装置４０は、透明な樹脂等により円柱形状に形成されたシリンダー４２と、シリンダー４２内に集積された景品Ｇを下から押し上げるピストン４４と、シリンダー４２の上部開口部から斜め下方に傾斜した傾斜板４６とを備えて構成され、平面視略六角形の遊戯装置１内の頂点位置に配置される。また、傾斜板４６は、図２に示すように、プッシャーテーブル部１０の端部と、ターンテーブル７０との間に、傾斜板４６の端面が来るように配設されており、ピストン４４によって押し上げられ、シリンダー４２の開口部より放出される景品Ｇが、プッシャーテーブル部１０或いはターンテーブル７０に落下するように構成されている。このピストン４４の上昇動作は、所定のタイミングで実行される。
【００３２】
また、図５に示すように、遊戯装置１の天板１００の上面には、遊戯空間ＳＰを冷却するための２組の冷房システム２００が、対向する２つのステーションの上方に位置するようにそれぞれ設置されている。各冷房システム２００は、冷房装置２１０と、水蒸発装置２２０と、冷気分配部２３０と、ファン２４０と、制御装置２５０とを備える。
【００３３】
図６は、遊戯装置１の１つのステーションに係るＪＰ用払出装置３０周辺の要部縦断面図である。遊戯装置１の天板１００には、冷気分配部２３０を介して冷房装置２１０の空気取込部と連通する取入れ穴１１０が設けられ、遊戯空間ＳＰ内の空気が取入れ穴１１０から冷房装置２１０に流入されるようになっている。
【００３４】
さらに、天板１００には、冷気分配部２３０を介して冷房装置２１０の冷気送出部と連通する吹出し穴１２０が設けられており、冷房装置２１０から流出される冷気が遊戯空間ＳＰ上方から遊戯空間ＳＰ内に送出され、遊戯空間ＳＰの内部が冷却されるようになっている。冷気の比重は重いため、遊戯空間ＳＰの内部を効率的に冷却することができる。また、吹出し穴１２０は、ＪＰ用払出装置３０を構成するバスケット３２の上方に設けられており、バスケット３２内に収納されている景品をより効果的に冷却することができる。同様にして、ステーション毎にそれぞれ設置されたＪＰ用払出装置３０のバスケット３２の上方には、それぞれ吹出し穴１２０が設けられており（図５参照）、後述する冷気分配部２３０により分配された冷気が遊戯空間ＳＰ内に送出される。
【００３５】
図７は、冷房システム２００の斜視外観図である。尚、図７では、冷房システム２００を構成するファン２４０を二点鎖線で示している。
【００３６】
冷房装置２１０は、冷蔵庫やエアコン等に用いられる周知の冷房装置を適宜使用する。
【００３７】
水蒸発装置２２０は、冷房装置２１０から排出されるドレン水を蒸発処理するための装置であり、冷房装置２１０から排出されるドレン水を貯留する貯水部２２２と、貯水部２２２に貯留されたドレン水を吸収して蒸散させる蒸散部２２４とを有する。
【００３８】
貯水部２２２は、冷房装置２１０に設けられたドレン水排出口２１２とドレン管２６０により連結されており、このドレン水排出口２１２より低位置に配置される。これにより、冷房装置２１０のドレン水排出口２１２から排出されるドレン水を貯水部２２２内に確実に送ることができる。
【００３９】
蒸散部２２４は、毛細管現象により水分を吸収する吸水性樹脂等により長方形状に形成された複数の蒸散板２２４ａで構成される。各蒸散板２２４ａは、その下端側が貯水部２２２内の底面に接触するように配置され、所定間隔を保持するように略鉛直に、且つ面方向が冷房装置２１０の排熱風に沿うように並設・積層されている。
【００４０】
この蒸散部２２４は、冷房装置２１０の排気口から排気される排熱風の下流側に配置されている。これにより、各蒸散板２２４ａの隙間が排熱風の通風路となり、各蒸散板２２４ａに吸収されたドレン水の蒸散速度が高められる。すなわち、冷房装置２１０の排熱を利用して、ドレン水を効率よく蒸発させることができる。
【００４１】
また、貯水部２２２は、貯留されるドレン水の２／３水位を検出する水位検出器２２６と、満水位を検出する満水位検出器２２８とを備える。この水位検出器２２６及び満水位検出器２２８は、例えば、フロートスイッチ等のフロートセンサにより実現される。水位検出器２２６は、ドレン水の２／３水位を検出した場合に、検知信号を制御装置２５０に出力する。一方、満水位検出器２２８は、ドレン水の満水位を検出した場合に、検知信号を制御装置２５０に出力する。
【００４２】
ファン２４０は、排気口から排気される排熱風の下流側に、水蒸発装置２２０に近接して設置されている。このファン２４０は、排熱風の風向に沿って送風するように設置され、ファン２４０の送風により、蒸散部２２４内に留まっている空気や蒸気を強制的に流通させる。
【００４３】
冷気分配部２３０は、冷房装置２１０の下部に配置され、冷房装置２１０の冷気送出部から流出される冷気を分配する。図８は、冷気分配部２３０の平面図である。図８に示すように、冷気分配部２３０には、遊戯装置１の天板１００上に設置された状態で、天板１００の取入れ穴１１０と連通する貫通穴２３２が設けられている。すなわち、冷気分配部２３０の上面に冷房装置２１０を載置した状態で、貫通穴２３２は、冷房装置２１０の空気取込部と連通する。
【００４４】
また、冷気分配部２３０には、その上部に冷房装置２１０が載置された状態で、冷房装置２１０の冷気送出部と連通する溝部２３４が設けられ、この溝部２３４により、冷房装置２１０の冷気送出部から流出される冷気を溜める貯蔵空間が形成される。溝部２３４には、冷気を遊戯装置１の遊戯空間ＳＰ内に送出するための３つの冷気送出口２３６ａ，２３６ｂ，２３６ｃが設けられており、底面に設けられた冷気送出口２３６ａは、遊戯装置１の天板１００上に設置された状態で天板１００の吹出し穴１２０と直接連通され、側面に設けられた２つの冷気送出口２３６ｂ，２３６ｃは、それぞれ分配チューブ２３８により天板１００の吹出し穴１２０と連接される。
【００４５】
尚、冷気分配部２３０の冷気送出口２３６ｂ，２３６ｃと遊戯装置１の天板に設けられた吹出し穴１２０とを連接する分配チューブ２３８に、絞り作用によって流量を規制する流量調節弁を設けることとしてもよい。これによれば、分配チューブ２３８により冷気送出口２３６ｂ，２３６ｃと連接される各吹出し穴１２０から送出される冷気の流量や流速を調節することができる。
【００４６】
制御装置２５０は、冷房装置２１０及びファン２４０の動作を制御する。この制御装置２５０の動作について、図９に示すブロック図を参照して説明する。制御装置２５０には、上記したように、水位検出器２２６及び満水位検出器２２８から検知信号が入力される。
【００４７】
制御装置２５０は、水位検出器２２６から検知信号が入力された場合には、ファン２４０に始動信号を出力してファン２４０を始動させる。一方、制御装置２５０は、満水位検出器２２８から検知信号が入力された場合には、冷房装置２１０に停止信号を出力して、冷房装置２１０を停止させる。
【００４８】
従って、貯水部２２２内のドレン水が所定水位に達した場合に、蒸散板２２４ａ間を流通する風を発生させるファン２４０を始動させることができる。これにより、蒸散板２２４ａに吸収されたドレン水の蒸散速度を一層高めるとともに、蒸散板２２４ａに付着した塵等のゴミを吹き飛ばして除去することができる。そして、貯水部２２２内のドレン水が満水位に達した場合には、冷房装置２１０の電源を自動的に停止させることができる。
【００４９】
一方、水位検出器２２６から検知信号が入力されなくなった場合には、制御装置２５０は、ファン２４０に停止信号を出力してファン２４０を停止させる。また、満水位検出器２２８から検知信号が入力されなくなった場合には、制御装置２５０は、冷房装置２１０に始動信号を出力して冷房装置２１０を始動させる。
【００５０】
以上説明したように、本実施形態によれば、冷房装置２１０のドレン水排出口２１２から排出されたドレン水をドレン管２６０により水蒸発装置２２０に送り、水蒸発装置２２０の備える複数の蒸散板２２４ａにドレン水を吸収させて蒸散させることにより、ドレン水を処理することができ、ドレン水の廃棄作業の手間を省くことができる。
【００５１】
尚、冷房装置２１０の排気口と水蒸発装置２２０の蒸散部２２４周辺とを連接するダクト部を設けることとしてもよい。これによれば、ダクト部が、冷房装置２１０から排気される排熱風の通風路となり、冷房装置２１０から排気される排熱風を、蒸散部２２４に効率よく導くことができる。
【００５２】
また、平板上の載置台上に、上記した冷房システム２００を構成する各部を配置することにより、冷房システム２００の各部を一体としてもよい。
【図面の簡単な説明】
【００５３】
【図１】本発明を適用した一実施形態における遊戯装置の外観図の一例を示す図。
【図２】天板を取り除いた状態の遊戯装置の平面図。
【図３】遊戯装置の１つのステーションに係る要部正面図。
【図４】遊戯装置の１つのステーションに係る要部縦断面図。
【図５】遊戯装置の平面図。
【図６】遊戯装置の１つのステーションに係るＪＰ用払出装置周辺の要部縦断面図。
【図７】冷房システムの斜視外観図。
【図８】冷気分配部の平面図。
【図９】制御装置の動作を説明するためのブロック図。
【符号の説明】
【００５４】
１                    遊戯装置
１０                プッシャーテーブル部
１２              固定テーブル
１４              スライドテーブル
１６              スイッチ
１８ａ，１８ｂ    景品保持テーブル
Ａ１，Ａ２      軸部材
１９ａ，１９ｂ  保持テーブル駆動機構
１９１        支持部材
１９２        モータ
１９３        第１アーム
１９４        第２アーム
１９５        ばね部材
１９６        ローラ
１９７        原点センサ
２０                掬い上げ装置
３０                ＪＰ用払出装置
４０                景品補充装置
５０                制御装置
６０                景品獲得口
７０                ターンテーブル
８０                操作部
１００              天板
１１０            取入れ穴
１２０            吹出し穴
２００              冷房システム
２１０            冷房装置
２２０            水蒸発装置
２２２          貯留貯水部
２２４          蒸散部
２２４ａ      蒸散板
２２６          水位検出器
２２８          満水位検出器
２３０            冷気分配部
２３２          分配チューブ
２４０            ファン
２５０            制御装置
２６０            ドレン管
Ｇ，Ｇ´              景品
【図１】
2005080998.tif 000003
【図２】
2005080998.tif 000004
【図３】
2005080998.tif 000005
【図４】
2005080998.tif 000006
【図５】
2005080998.tif 000007
【図６】
2005080998.tif 000008
【図７】
2005080998.tif 000009
【図８】
2005080998.tif 000010
【図９】
2005080998.tif 000011